(57)【要約】      （修正有）【課題】臭気を改善したガソリン組成物を提供する。【解決手段】全硫黄分が１０質量ｐｐｍ以下、メチルメルカプタン及びエチルメルカプタンの硫黄分が各々０.０４質量ｐｐｍ以下、プロピルメルカプタンの硫黄分が１.０質量ｐｐｍ以下、二硫化炭素の硫黄分が０.４質量ｐｐｍ以下、式（１）の臭気指数（ＯＩ）が８以上、リサーチ法オクタン価が９０以上、かつリード蒸気圧が９０ｋＰａ以下のガソリン組成物。ＯＩ＝｜３×Ｌｏｇ１０（ＭＭ）＋２×Ｌｏｇ１０（ＥＭ）＋Ｌｏｇ１０（ＰＭ）＋０.５×Ｌｏｇ１０（ＣＤ）＋０.１×Ｌｏｇ１０（ＴＳ−ＭＭ−ＥＭ−ＰＭ−ＣＤ）｜  ・・・・（１）（式中、ＭＭはメチルメルカプタンの硫黄分、ＥＭはエチルメルカプタンの硫黄分、ＰＭはプロピルメルカプタンの硫黄分、ＣＤは二硫化炭素の硫黄分、及びＴＳは全硫黄分を示し、硫黄分は、硫黄換算の質量ｐｐｍ。）【選択図】なし【特許請求の範囲】
【請求項１】
全硫黄分が１０質量ｐｐｍ以下、メチルメルカプタン及びエチルメルカプタンの硫黄分がそれぞれ０．０４質量ｐｐｍ以下、プロピルメルカプタンの硫黄分が１．０質量ｐｐｍ以下、二硫化炭素の硫黄分が０．４質量ｐｐｍ以下であり、次の式（１）で表される臭気指数（ＯＩ）が８以上であり、リサーチオクタン価が９０以上、かつリード蒸気圧が９０ｋＰａ以下であることを特徴とする請求項１又は２に記載のガソリン組成物、
ＯＩ＝｜３×Ｌｏｇ１０（ＭＭ）＋２×Ｌｏｇ１０（ＥＭ）＋Ｌｏｇ１０（ＰＭ）＋０．５×Ｌｏｇ１０（ＣＤ）＋０．１×Ｌｏｇ１０（ＴＳ−ＭＭ−ＥＭ−ＰＭ−ＣＤ）｜・・・（１）
（上式中、ＭＭはメチルメルカプタンの硫黄分、ＥＭはエチルメルカプタンの硫黄分、ＰＭはプロピルメルカプタンの硫黄分、ＣＤは二硫化炭素の硫黄分、及びＴＳは全硫黄分を示し、硫黄分は、硫黄換算の質量ｐｐｍで示し、また前記化合物の各硫黄分の値が０．００質量ｐｐｍ以下の場合、それらの対数値は−３とする。）
【請求項２】
ジエン価が０．５ｇ／１００ｇ以下及びジエン量が０．７質量％以下である請求項１に記載のガソリン組成物。
【請求項３】
酸化防止剤を２０ｍｇ／ｌ以上含む請求項１又は２に記載のガソリン組成物。
【請求項４】
二硫化炭素の硫黄分が０．０１質量ｐｐｍ以上である請求項１〜３のいずれかに記載のガソリン組成物。
【請求項５】
リサーチ法オクタン価が９２以上であり、５０％留出温度が１０２℃以下である請求項１〜４のいずれかに記載のガソリン組成物。
【請求項６】
エチルターシャリーブチルエーテル及び／又はエタノールを０．１容量％以上含有する請求項１〜５のいずれかに記載のガソリン組成物
【発明の詳細な説明】
【技術分野】
【０００１】
本発明は、ガソリンの不快臭を低減したガソリン組成物に関する。特に、強い不快臭を示すメチルメルカプタン及びエチルメルカプタンを極微量まで除去し、比較的強い臭気を持つ二硫化炭素含有量や他硫黄化合物の含有量を調整することでトータルの臭気を改善したガソリン組成物に関する。
【背景技術】
【０００２】
流動接触分解（ＦＣＣ）プロセスから得られるガソリン基材や熱分解プロセスから得られるガソリン基材を用いてガソリンが生産される場合、苛性ソーダによる洗浄等の工程を経ると、ガソリン中の殆どのメルカプタン化合物は除去される。しかし、微量のメルカプタン化合物が残留する場合がある。この場合、特にメチルメルカプタン及びエチルメルカプタンなどが残留すると、その残留量がごく僅かであっても強い刺激臭を放つ。したがって、製油所や輸送所などにおけるタンクローリーへの積みこみ時や、ガソリンスタンドにおける荷降ろし時、または車両給油時に不快臭を放散する。
【０００３】
ガソリンの不快な臭気の原因物質としては、各種の硫黄化合物、オレフィン成分及び芳香族成分等多々あるが、その中で特にメルカプタン化合物は微量で強烈な不快臭を放散する。このメルカプタン化合物は苛性ソーダ洗浄等によりガソリンから除去されるが、接触分解ガソリン基材や熱分解ガソリン基材を用いた場合、どうしても極微量のメチルメルカプタンがガソリンに残留してしまう。特に炭素数の少ないメチルメルカプタン、エチルメルカプタンが残留するガソリンは極微量でも強い不快臭を放つ。
【０００４】
これらの不快臭を発するメルカプタン許容量については、例えば、非特許文献１には、ガソリンがオーダースイートであるためのメルカプタン許容量は０．００１〜０．００２ｗｔ％であること、またタイプ別では、それぞれエチルメルカプタン０．０００２ｗｔ％、ｎ−プロピルメルカプタン０．００１０ｗｔ％、ｎ−ブチルメルカプタン０．００１７ｗｔ％であることが記載されている。また、非特許文献２にはメチルメルカプタンの環境臭気濃度は０．０２ｐｐｍであることが記載され、それ以外のメルカプタンについてはＫａｔｚ、Ｔａｌｂｅｒｔらのデータが引用されているが、そのデータの信頼性は不明確であるとされている。
【非特許文献１】石油学会編「新石油精製プロセス」、幸書房、（1984）、ｐ443
【非特許文献２】大喜多、重田共著、「微量ガス・悪臭の分析」、講談社、(1972)、ｐ162
【発明の開示】
【発明が解決しようとする課題】
【０００５】
本発明は、これらのメルカプタンや他硫黄化合物が、それぞれ単独ではなく合わさった状態におけるガソリンへの臭気影響を明確にし、これにより必要以上の洗浄や、高価な吸着剤を使用した除去等、著しく製造コストを増加することなく、臭気を改善したガソリン組成物を提供することを課題とする。
【課題を解決するための手段】
【０００６】
本発明者らは、ガソリンの悪臭の程度は、特定のメルカプタン化合物、及びジサルファイド化合物に基づく硫黄分の含有量に影響されていることを見出した。また、一般に悪臭物質量と嗅覚刺激量との関係は、次式のＷｅｂｅｒ−Ｆｅｃｈｎｅｒの法則、
Ｅ＝Ｋ×ＬｏｇＲ
（式中、Ｅは感覚量、Ｋは悪臭物質別の定数、及びＲは悪臭物の質量を表す。）
で表現されることから、ガソリン中の特定のメルカプタン化合物、及びジサルファイド化合物に基づく硫黄分とその他の硫黄分について、上式にあてはめ、それぞれの質量の対数（Ｌｏｇ）と定数Ｋ（臭気に対する重み付け）との積を、すなわち臭気の感覚量Ｅを積算した値がある特定値の範囲内であれば、不快臭が感じられなくなることを見出した。本発明をかかる知見に基づいて完成されたものである。
【０００７】
すなわち、本発明によるガソリン組成物は、全硫黄分が１０質量ｐｐｍ以下、メチルメルカプタン及びエチルメルカプタンの硫黄分がそれぞれ０．０４質量ｐｐｍ以下、プロピルメルカプタンの硫黄分が１．０質量ｐｐｍ以下、二硫化炭素の硫黄分が０．４質量ｐｐｍ以下であり、次の式（１）で表される臭気指数（ＯＩ）が８以上であり、リサーチ法オクタン価（ＲＯＮ）が９０以上、リード蒸気圧（ＲＶＰ）が９０ｋＰａ以下であることを特徴とする。
ＯＩ＝｜３×Ｌｏｇ１０（ＭＭ）＋２×Ｌｏｇ１０（ＥＭ）＋Ｌｏｇ１０（ＰＭ）＋０．５×Ｌｏｇ１０（ＣＤ）＋０．１×Ｌｏｇ１０（ＴＳ−ＭＭ−ＥＭ−ＰＭ−ＣＤ）｜・・・（１）
上式中、ＭＭはメチルメルカプタンの硫黄分、ＥＭはエチルメルカプタンの硫黄分、ＰＭはプロピルメルカプタンの硫黄分、ＣＤは二硫化炭素の硫黄分、及びＴＳは全硫黄分を示し、硫黄分は、硫黄としての質量ｐｐｍで示し、また前記化合物の各硫黄分の値が０．００質量ｐｐｍ以下の場合、それらの対数値は−３とする。
なお、各化合物の硫黄分は、特別の断りがない限り、その化合物に含まれる硫黄（Ｓ）のみの組成物全体に対する質量割合で示す。
【０００８】
さらに、本発明によるガソリンは、ジエン価が０.５ｇ／１００ｇ以下、ジエン量が０.７質量％以下であるものが好ましく、さらには、二硫化炭素硫黄分が０.０１質量ｐｐｍ以上、また、酸化防止剤を２０ｍｇ／ｌ以上含有するものが好ましく、さらにまた、リサーチ法オクタン価が９２以上、かつ５０容量％留出温度が１０２℃以下であるものが好ましい。また、エチルターシャリーブチルエーテル（ＥＴＢＥ）及び／又はエタノール（ＥＴＯＨ）を０．１容量％以上含有するものがさらに好ましい。
【発明の効果】
【０００９】
本発明によるガソリン組成物は、不快臭として寄与率の高いメチルメルカプタン及びエチルメルカプタン硫黄分の許容値を求め、他の硫黄化合物も含めた臭気の重み付けを行うことで、すなわち上記特定の式で表される臭気指数（ＯＩ）の値が特定の範囲内に含まれるように調製すればよいから、著しくコストを増大させることなく、臭気改善をすることが可能となる。
【発明を実施するための最良の形態】
【００１０】
〔ガソリン基材〕
本発明は、メルカプタン硫黄分を比較的多く含有する流動接触分解ガソリン基材を主体とするガソリン組成物や、多様な硫黄化合物を比較的多く含む熱分解ガソリン基材を用いるガソリン組成物に特に有用である。したがって、本発明のガソリン組成物は、流動接触分解ガソリン基材を含むものであることが好ましく、さらに熱分解ガソリン基材を少量でも含むものであることが好ましい。
【００１１】
流動接触分解ガソリン基材は、軽油から減圧軽油までの石油留分の他、重油間接脱硫装置から得られる間脱軽油、重油直接脱硫装置から得られる直脱重油、常圧残さ油などを原料として用い、無定形シリカアルミナ、ゼオライトなどの触媒と接触分解して得られる高オクタン価のガソリン基材である。接触分解装置としては、公知の任意の製造プロセスを採用できる。例えば石油学会編「新石油精製プロセス」に記載のあるＵＯＰ接触分解法、フレキシクラッキング法、ウルトラ・オルソフロー法、テキサコ流動接触分解法などの流動接触分解法、ＲＣＣ法、ＨＯＣ法などの残油流動接触分解法などが挙げられる。
また、流動接触分解ガソリン基材は、硫黄含有量の比較的多い基材である。したがって、原料の硫黄含有量を予め調整してから流動接触分解したり、あるいは得られた流動接触分解ガソリンを、抽出、吸着、収着などの操作によって硫黄分を除去することが好ましい。また、流動接触分解ガソリンから硫黄分を収着除去するような場合、事前にジメチルホルムアミド（ＤＭＦ）やアセトニトリルなどを用いた抽出蒸留法や水素化法によって予めジエンを除去しておくと効果的に硫黄分を低減することができる。
【００１２】
熱分解ガソリン基材としては、アスファルトを高温で熱分解させた際に生じるガソリン留分や、石油化学におけるナフサ熱分解装置（エチレンクラッカー）の生成物などが挙げられる。なお、熱分解ガソリン基材は、多様な硫黄化合物を多く含むが、他のガソリン基材と比較して特徴的なことは、比較的低沸点で高いＲＯＮを有すること、二硫化炭素を比較的多く含むことなどである。
さらに、必要によっては、抽出、吸着、収着などによる硫黄分除去して用いてもよい。この際、蒸留分離やジエン低減処理等の公知の精製手段を組み合わせて硫黄分を効率的に除去することもできる。
【００１３】
本発明の製造方法に用いるＥＴＢＥ及びエタノールは、二酸化炭素増加防止の観点から、生産余剰となった玉蜀黍、砂糖黍、あるいは廃材のセルロース等から製造されるバイオエタノールを原料として生産されたものが好ましい。また、これらの含酸素化合物は特有の臭気を持ち、炭化水素の臭気をマスキングする効果を有し、また不快臭を有する、本発明で特定する硫黄化合物を含まないため、不快臭の希釈効果を有する。
【００１４】
本発明によるガソリン組成物に用いる、上記流動接触分解ガソリン基材や熱分解ガソリン基材以外のガソリン基材として、ブタン留分（Ｃ４）、脱硫ナフサ留分を分留して得られるイソペンタン留分（ＩＣ５）、脱硫軽質ナフサ（ＤＳ−ＬＧ）、脱硫重質ナフサを接触改質して得られる接触改質ガソリン、あるいは、接触改質ガソリンさらに分留して得られた炭素数７の炭化水素を主とする留分（後述のＡＣ−７）や炭素数９の炭化水素を主とする留分（後述のＡＣ−９）、ブチレンとイソブタンを主成分とする留分とを硫酸触媒により反応させて得たアルキレートガソリン（ＡＬＫＧ）などが挙げられる。その他、メチル−ｔ−ブチルエーテル（ＭＴＢＥ）、ｔ−アミルエチルエーテル（ＴＡＥＥ）、メタノール等の含酸素ガソリン基材等が挙げられる。これらのガソリン基材は、硫黄分を全く含まないか、殆ど含まない基材である。
【００１５】
［配合］
ガソリン全体における接触分解ガソリン基材の配合量は、レギュラーガソリンにおいては４０容量％以上、好ましくは５０容量％以上、特には６０〜８０容量％である。プレミアムガソリンにおいては接触分解ガソリンを蒸留分離した軽質接触分解ガソリンを２５容量％以上、好ましくは３０容量％以上、特には３５容量％以上である。また、ガソリン全体における熱分解ガソリン基材の配合量は特に限定されないが、レギュラーガソリン及びプレミアムガソリンともに１％以上混合されることが好ましい。
また、ＥＴＢＥ及びＥＴＯＨは炭化水素の臭気をマスキングし、本発明で特定する硫黄化合物を含まないことから、０．１容量％以上含有するのが好ましく、不快臭の希釈効果を上げるためには１．０容量％以上含有するのがさらに好ましい。また、これらの含酸素化合物は炭化水素に比べて発熱量が低く、空燃比の希薄化による冷機時運転性悪化を招くことから、ＥＴＢＥ及び／又はＥＴＯＨ含有量は合計で２０．０容量％以下が好ましい。
【００１６】
接触分解ガソリン基材及び熱分解ガソリン基材以外に、接触改質ガソリン基材、アルキレートガソリン基材、直留ナフサを脱硫処理した脱硫ナフサ基材、及びメチルｔ−ブチルエーテル（ＭＴＢＥ）、ｔ−アミルエチルエーテル（ＴＡＥＥ）、メタノール等の含酸素ガソリン基材等、公知のガソリン基材を配合することができる。これらのガソリン基材は、硫黄分が１０質量ｐｐｍ以下であることが好ましく、特には５質量ｐｐｍ以下であることが好ましい。接触改質ガソリン基材やアルキレートガソリン基材の場合、蒸留してそれぞれ軽質留分と重質留分など、適宜の沸点範囲で分離して得られた留分を用いることにより、きめ細かく、フレキシブルにガソリン組成物をブレンド、調製することができる。
【００１７】
好ましい配合量を例示すれば、レギュラーガソリンにおいては接触分解ガソリン基材：５０〜８０容量％、脱硫ナフサ基材：０〜１５容量％、接触改質ガソリン基材：５〜２５容量％、アルキレートガソリン基材：０〜１５容量％、熱分解ガソリン基材：０〜３０容量％である。特に好ましくは、接触分解ガソリン基材：６０〜７５容量％、脱硫ナフサ基材：２〜１０容量％、接触改質ガソリン基材：５〜１５容量％、アルキレートガソリン基材：０〜１０容量％、熱分解ガソリン基材：０〜２０容量％、ＥＴＢＥ及び／又はＥＴＯＨは０．１容量％以上、好ましくは１．０〜２０．０容量％である。
プレミアムガソリンにおいてはイソペンタン（ＩＣ５）ガソリン基材：０〜３０容量％、熱分解ガソリン基材：０〜３０容量％、脱硫ナフサ基材：０〜２０容量％、アルキレートガソリン基材：２〜３０容量％、軽質接触分解ガソリン基材：２〜５０容量％、接触改質ガソリン基材：１０〜５０容量％である。特に好ましくは、ＩＣ５ガソリン基材：０〜２０容量％、熱分解ガソリン基材：１〜２０容量％、脱硫ナフサ基材：０〜１０容量％、アルキレートガソリン基材：２〜２５容量％、軽質接触分解ガソリン基材：２０〜４０容量％、接触改質ガソリン基材：１０〜４０容量％、ＥＴＢＥ及び／又はＥＴＯＨは０．１容量％以上、好ましくは１．０〜２０．０容量％である。
【００１８】
〔他の添加物〕
さらに、本発明のガソリンには、当業界で公知の燃料油添加剤の１種又は２種以上を必要に応じて配合することができる。これらの配合量は適宜選べるが、通常は添加剤の合計配合量を０.１質量％以下に維持することが好ましい。本発明のガソリンで使用可能な燃料油添加剤を例示すれば、フェノール系、アミン系などの酸化防止剤、シッフ型化合物、チオアミド型化合物などの金属不活性化剤、有機リン系化合物などの表面着火防止剤、コハク酸イミド、ポリアルキルアミン、ポリエーテルアミンなどの清浄分散剤、多価アルコール又はそのエーテルなどの氷結防止剤、有機酸のアルカリ金属塩又はアルカリ土類金属塩、高級アルコールの硫酸エステルなどの助燃剤、アニオン系界面活性剤、カチオン系界面活性剤、両性界面活性剤などの帯電防止剤、アゾ染料などの着色剤を挙げることができる。特に、酸化防止剤は、２０ｍｇ／ｌ以上含んでいることが好ましい。
【００１９】
〔本発明のガソリン〕
本発明によるガソリン組成物は、全硫黄分が１０質量ｐｐｍ以下、メチルメルカプタン及びエチルメルカプタン硫黄分がそれぞれ０.０４質量ｐｐｍ以下、プロピルメルカプタン硫黄分が１.０質量ｐｐｍ以下、二硫化炭素硫黄分が０.４質量ｐｐｍ以下であり、次の式（１）で表される臭気指数（ＯＩ）が８以上であるリサーチ法オクタン価（ＲＯＮ）が９０以上、蒸気圧が９０ｋＰａ以下のガソリン組成物である。
ＯＩ＝｜３×Ｌｏｇ１０（ＭＭ）＋２×Ｌｏｇ１０（ＥＭ）＋Ｌｏｇ１０（ＰＭ）＋０.５×Ｌｏｇ１０（ＣＤ）＋０.１×Ｌｏｇ１０（ＴＳ−ＭＭ−ＥＭ−ＰＭ−ＣＤ）｜  ・・・・・  （１）
上式中、ＭＭはメチルメルカプタンの硫黄分、ＥＭはエチルメルカプタンの硫黄分、ＰＭはプロピルメルカプタンの硫黄分、ＣＤは二硫化炭素の硫黄分、及びＴＳは全硫黄分を示し、硫黄分は、硫黄としての質量ｐｐｍで示し、また、前記化合物の各硫黄分の値が０.００質量ｐｐｍ以下の場合、それらの対数値は−３とする。
【００２０】
さらに、このガソリン組成物は、排ガス浄化触媒の被毒防止から全硫黄分は５質量ｐｐｍ以下が好ましく、不快臭として検出される確率を低減するためにはメチルメルカプタン及びエチルメルカプタン硫黄分がそれぞれ０.０２質量ｐｐｍ以下、プロピルメルカプタン硫黄分が０.５質量ｐｐｍ以下、二硫化炭素分が０.２質量ｐｐｍ以下であることが好ましい。なお、ここでプロピルメルカプタンは、異性体を含む総称であり、ノルマルプロピルメルカプタンとイソプロピルメルカプタンが含まれる。
ガソリン組成物中に含まれるメルカプタン、特に軽質のメルカプタンの含有量を低減することにより、臭気を効果的に低減することができる。この場合、トータルの硫黄分は、１０質量ｐｐｍ以下であれば、特に低減する必要はない。したがって、前記のメルカプタン含有量は、ガソリン組成物中からメルカプタンを除去するばかりでなく、メルカプタン以外の硫黄化合物に転換して低減することもできる。メルカプタン以外の硫黄化合物に転換するためには、苛性ソーダで洗浄する方法、ドクター法など公知の方法を適宜使用することができる。
【００２１】
なお、ガソリン中の硫黄分は、排気ガス中で酸化硫黄化合物となり、窒素酸化物除去触媒を被毒する。被毒した窒素酸化物触媒の活性を回復するために、還元雰囲気を形成して酸化硫黄化合物を除去しなければならなくなる。この還元雰囲気を形成するために燃料が使用され、エンジン全体の燃費を悪化する原因となっている。したがって、ガソリン中の硫黄分は少ないほど燃費は向上する。
【００２２】
また、本発明のガソリンは、不快臭低減効果を上げるために臭気指数（ＯＩ）が１０以上、さらには１６以上、ノッキングを回避することによる燃焼効率上昇やエンジンの圧縮比向上による燃費改善効果からオクタン価が市販レギュラーガソリンより高い９２〜９６又はプレミアムガソリン相当の９８〜１０２が好ましい。また、蒸発ガス低減や燃費改善効果から蒸気圧が９０ｋPa以下、好ましくは８５ｋPa以下、さらに好ましくは８０ｋＰａ以下、冷機時始動性改善効果から好ましくは４５ｋＰａ以上、さらに好ましくは５０ｋＰａ以上である。
【００２３】
さらに、本発明のガソリン組成物は、酸化安定性改善やオレフィン臭の低減効果からジエン価が０.５ｇ／１００ｇ以下、さらには０.３ｇ／１００ｇ以下、ジエン量が０.７質量％以下、さらに０.６質量％以下であることが好ましく、また、酸化安定性をさらに向上させるためには、酸化防止剤を２０ｍｇ／ｌ以上含んでいることが好ましい。さらに、不快臭改善から二硫化炭素の硫黄分は０.０１質量ｐｐｍ以上が好ましい。また、ＲＯＮはノッキングを回避することによる燃焼効率上昇やエンジンの圧縮比向上による燃費改善効果から９２以上が好ましく、かつ、冷機時運転性改善効果から５０容量％留出温度は１０２℃以下、さらには１００℃以下、特には９０〜９９℃であることが好ましい。
【実施例】
【００２４】
以下に、実施例により具体的に説明するが、本発明はこれらの例により何ら制限されるものではない。
【００２５】
実施例及び比較例となるガソリン組成物を調製するに際して、用いたガソリン基材は、次のものである。
【００２６】
ＩＣ５：
脱硫ナフサ留分、あるいは接触改質ガソリンを蒸留分離することにより得たイソペンタンを多く含む炭素数５の炭化水素が主体の留分であり、炭素数５の炭化水素を９５％以上含有する。
ＤＳ−ＬＧ：
脱硫直留軽質ナフサであり、中東系原油のナフサ留分を水素化脱硫後、その軽質分を蒸留分離することにより得た。
【００２７】
ＣＫ−ＬＧ：
アスファルト留分を高温（５００℃）で熱分解し、その熱分解成分の軽質ナフサ留分を蒸留分離し、その後マーロックス法による抽出酸化で、温度４０℃、圧力０.５ＭＰａ、ソーダ循環量を原料ガソリン量の１０％として洗浄することにより得た、脱硫した熱分解軽質ナフサである。
ＣＫ−ＬＧ（二段洗浄）
前記のＣＫ−ＬＧと１規定の苛性ソーダ水溶液を１：１（容量）で混合し、２０℃で３分間撹拌し、１分間静置させて上澄みを採取した。
ＡＬＫＧ：
ブチレンを主成分とする留分とイソブタンを主成分とする留分とを硫酸触媒によりアルキル化反応させて得た、いわゆるアルキレートガソリンであり、炭素数８のイソパラフィン分の高い炭化水素を主成分とする。
【００２８】
ＦＣＣＧ：
脱硫軽油および脱硫重油を固体触媒により流動床式反応装置を用いて接触分解し、その後温度４０℃、圧力０.５ＭＰａ、ソーダ循環量を原料に対して１０％にすることにより得た、オレフィン分の高い炭化水素、すなわち流動接触分解ガソリン（ＦＣＣＧ）である。
ＦＣＣＧ（二段洗浄）：
前記流動接触分解ガソリン（ＦＣＣＧ）と１規定の苛性ソーダ溶液を１：１（容量）で混合し、２０℃で３分間撹拌し、１分間静置させて上澄みを採取した。
ＦＣ−ＬＧ：
前記流動接触分解ガソリン（ＦＣＣＧ）を軽質留分と重質留分に蒸留分離して得た軽質留分（ＦＣ−ＬＧ）である。
ＦＣ−ＬＧ（洗浄）：
前記の流動接触分解ガソリンの軽質留分（ＦＣ−ＬＧ）と１規定の苛性ソーダ溶液を１：１（容量）で混合し、２０℃で３分間撹拌し、１分間静置させて上澄みを採取した。
【００２９】
ＡＣ−７：
脱硫重質ナフサを固体触媒により移動床式反応装置を用いて改質反応させることにより、芳香族分の高い炭化水素、すなわち改質ガソリンが得られる。これを蒸留分離することにより得た軽質留分、すなわち軽質改質ガソリン（ＡＣ−７）であり、炭素数７の炭化水素を９５％以上含有する。
ＡＣ−９：
前記の改質ガソリンの蒸留分離において得られた重質留分、すなわち重質改質ガソリン（ＡＣ−９）であり、炭素数１１以上の炭化水素を５％以下、炭素数９及び１０の炭化水素を９０％以上含有する。
【００３０】
エチルターシャリーブチルエーテル（ＥＴＢＥ）：
ＥＴＢＥ試薬（９５％純度品：和光純薬工業(株)製）を用いた。
エタノール（ＥＴＯＨ）：
エタノール試薬（９５％純度品：和光純薬工業(株)製）を用いた。
【００３１】
上記ガソリン基材の性状を表１に示す。これらのガソリン基材を、表２の上部に示す混合割合（容量％）でブレンドし、また全部のガソリン組成物に共通して酸化防止剤として、Ｎ，Ｎ−ジセカンダリーブチルパラフェニレンジアミン２５％、４−メチル−２,６−ジターシャリーブチルフェノール７５％混合品を２０ｍｇ／ｌとなるように添加し、実施例１〜５及び比較例１〜４のガソリン組成物を調製した。ガソリン組成物の性状を表２に併せて示す。また、参考例１として市販のプレミアムガソリン（市販ＰＧ）、参考例２として市販ＰＧにＥＴＢＥを７．０容量％添加して調整したガソリン（市販ＰＧ＋ＥＴＢＥ７％）及び参考例３として市販レギュラーガソリンにＥＴＯＨを３．０容量％添加して調整したガソリン（市販ＲＧ＋ＥＴＯＨ３％）の性状も表２に併せて示す。
【００３２】
【表１】
2006206876.tif 000002
【００３３】
【表２】
2006206876.tif 000003
【００３４】
なお、表１及び表２に示すガソリン基材の性状、及び実施例、比較例のガソリン組成物の性状は、次の方法により測定した。
密度：ＪＩＳ  Ｋ  ２２４９「原油及び石油製品−密度試験方法」
オクタン価（ＲＯＮ）：ＪＩＳ  Ｋ  ２２８０「石油製品−燃料油−オクタン価及びセタン価試験方法並びにセタン指数算出方法」のリサーチ法オクタン価試験方法
蒸気圧（ＲＶＰ）：ＪＩＳ  Ｋ  ２２５８「原油及び燃料油−蒸気圧試験方法−リード法」
蒸留性状：ＪＩＳ  Ｋ  ２２５４「石油製品−蒸留試験法」
全硫黄分：ＪＩＳ  Ｋ  ２５４１「原油及び石油製品−硫黄分試験方法」の微量電量滴定式酸化法に準拠して、小数点以下２桁まで求めた。
各硫黄化合物の硫黄分：ガスクロＳＣＤ分析で各硫黄化合物の質量比率（質量ｐｐｍ）を求め、当該硫黄化合物に占める硫黄分の割合を乗じることで小数点以下２桁まで算出した。
【００３５】
ジエン価及びジエン量：ジエン価はＵＯＰ法３２６−８２に従い、試料１００ｇと反応する無水マレイン酸と当量のヨウ素のグラム数を求めた。ジエン量はＪＩＳ  Ｋ  ２５３６−２（ガスクロマトグラフによる全成分の求め方）により、二重結合を二つ持つ成分の合計量（容量％）を求めた。ジエン価及びジエン量により検出される化合物はともに接触分解ガソリン及び熱分解ガソリンに多く含まれ、特有の臭気をもつ他、特にジエン価が高い場合はガソリンの酸化安定性を悪化させる。
【００３６】
ガソリン組成物の臭気試験は、パネラーを９名選定し、各試料を５０ｍｌ褐色スクリュー瓶に半分入れ、ランダム化した番号を割り当てることにより被験者にはマスキングした状態にして、ダミー１本（基準ガソリンを含有）を入れた計５本の試料について、不快臭がない基準ガソリン（ＡＬＫＧとＡＣ−７との半々での混合物）に対する不快臭の強さ（極めて強い、不快臭あり、やや不快臭あり、不快臭がない（基準ガソリンと同じ））の官能試験を行った。この不快臭の強さごとに分類される合計人数により、表３のようにランク分けし、実施例及び比較例のガソリン組成物の臭気を評価した。なお、ダミーを基準ガソリンとは異なると判定した人は除外することとしたが、本試験で該当者はいなかった。
【００３７】
また、エチルターシャリーブチルエーテル（ＥＴＢＥ）及び／又はエタノール（ＥＴＯＨ）を混合したガソリン組成物の臭気試験は、前記と同様にパネラーを９名選定し、各試料を５０ｍｌ褐色スクリュー瓶に半分入れ、ランダム化した番号を割り当てることにより被験者にはマスキングした状態にして、ダミー１本（基準ガソリンを含有）を入れた計３本の試料について、不快臭がない基準ガソリン（ＥＴＢＥ又はＥＴＯＨは特有の臭気を有するので、これらの臭気がガソリンの不快臭に与える影響を小さくするため、ＡＬＫＧとＡＣ−７との半々での混合物に、ＥＴＢＥ又はＥＴＯＨを試料とほぼ同濃度になるようにそれぞれ７容量％、３容量％添加した）に対する不快臭の強さ（極めて強い、不快臭あり、やや不快臭あり、不快臭がない（基準ガソリンと同じ））の官能試験を行った。この不快臭の強さごとに分類される合計人数により、表３のようにランク分けし、実施例及び比較例のガソリン組成物の臭気を評価した。なお、ダミーを基準ガソリンとは異なると判定した人は除外することとしたが、本試験で該当者はいなかった。
【００３８】
【表３】
2006206876.tif 000004
【００３９】
表２に示した実施例１、２では、比較例１、２で用いている、ＦＣＣＧ、ＣＫ−ＬＧを用いず、代わりに苛性ソーダで洗浄したＦＣＣＧ（二段洗浄）、ＣＫ−ＬＧ（二段洗浄）を用いた。これにより、コストを著しく増大させることなく、不快臭を低減することができた。実施例４では、比較例３で用いている、ＦＣ−ＬＧ、ＣＫ−ＬＧを用いず、代わりに苛性ソーダで洗浄したＦＣ−ＬＧ（洗浄）、ＣＫ−ＬＧ（二段洗浄）を用いた。これにより、コストを著しく増大させることなく、不快臭を低減することができた。また、実施例５では、比較例４で用いている、ＦＣＣＧを用いず、代わりに苛性ソーダで洗浄したＦＣＣＧ（二段洗浄）を用いた。これにより、コストを著しく増大させることなく、不快臭を低減することができた。